(57)【要約】【課題】  製造コストが嵩まず、紐の端部どうしの結合作業を容易に行うことができ、紐製リングのデザイン性を損なうおそれが少ない、紐結合具を提供する。【解決手段】  紐結合具1は、折り曲げ可能な薄肉連結部2Cを介して一側縁どうしが連結された１対の半円筒部(2A)(2B)を備え、全体が合成樹脂により一体に成形されている。両半円筒部2A,2Bは、連結部2Cを折り曲げて互いに重ね合わせることにより、紐Rの両端部R1,R2を直列に収容しうる筒状体10を形成するような大きさを有する。少なくとも一方の半円筒部2A,2Bの内面に、紐の両端部R1,R2を刺し止めうる複数の針状突起31,32,33,34が形成され、両半円筒部2A,2Bの他側縁近傍に、両半円筒部2A,2Bを重ね合わせた際に互いに係り合わせられる係合部41,42が形成されている。【選択図】  図２
2005178821.tif 000002
【特許請求の範囲】
【請求項１】
折り曲げ可能な薄肉連結部(2C)を介して一側縁どうしが連結されている１対の半円筒部(2A)(2B)を備え、全体が合成樹脂により一体に成形されており、両半円筒部(2A)(2B)は、連結部(2C)を折り曲げて互いに重ね合わせることにより、結合すべき１本の紐(R)の両端部(R1)(R2)または２本の紐の一端部を直列に収容しうる筒状体(10)を形成するような大きさを有しており、両半円筒部(2A)(2B)のうち少なくともいずれか一方の内面には、結合すべき１本の紐(R)の両端部(R1)(R2)または２本の紐の一端部を刺し止めうる複数の針状突起(31)(32)(33)(34)が形成され、両半円筒部(2A)(2B)の他側縁近傍には、両半円筒部(2A)(2B)を重ね合わせた際に互いに係り合わせられる係合部(41)(42)が形成されていることを特徴とする、紐結合具。
【請求項２】
針状突起として、一方の半円筒部(2A)の内面の幅中央部分に長さ方向に間隔をおいて形成されかつ該半円筒部(2A)の開口レベル付近まで達するような突出長さを有する複数の第１の針状突起(31)と、他方の半円筒部(2B)の内面の幅中央部分に複数の第１の針状突起(31)と互い違いになるように長さ方向に間隔をおいて形成されかつ該半円筒部(2B)の開口レベルを越えるような突出長さを有する複数の第２の針状突起(32)とを備えていることを特徴とする、請求項１記載の紐結合具。
【請求項３】
針状突起として、さらに、前記一方の半円筒部(2A)の内面における一側縁寄り部分および他側縁寄り部分のうち少なくともいずれか一方に複数の第２の針状突起(32)と対応するように長さ方向に間隔をおいて形成されかつ第１の針状突起(31)よりも短い突出長さを有する複数の第３の針状突起(33)を備えていることを特徴とする、請求項２記載の紐結合具。
【請求項４】
針状突起として、さらに、前記他方の半円筒部(2B)の内面における一側縁寄り部分および他側縁寄り部分のうち少なくともいずれか一方に複数の第１の針状突起(31)と対応するように長さ方向に間隔をおいて形成されかつ第１の針状突起(31)よりも短い突出長さを有する複数の第４の針状突起(34)を備えていることを特徴とする、請求項３記載の紐結合具。
【請求項５】
一方の半円筒部(2A)の他側縁近傍に形成された係合部が、先端に係合爪(411)を有する係合凸部(41)よりなり、他方の半円筒部(2B)の他側縁近傍に形成された係合部が、孔縁部(421)に係合爪(411)が係り止められる係合孔(42)よりなり、一方の半円筒部(2A)の他側縁近傍に、結合すべき１本の紐(R)の両端部(R1)(R2)または２本の紐の一端部を係合凸部(41)と共同して保持しうる保持凸部(6)が形成されていることを特徴とする、請求項２〜４のいずれか１つに記載の紐結合具。
【請求項６】
１本の紐(R)の両端部(R1)(R2)を、請求項１〜５のいずれか１つに記載の紐結合具(1)によって結合してなることを特徴とする、紐製リング。
【発明の詳細な説明】
【技術分野】
【０００１】
本発明は、紐の端部どうしを結合するのに用いられる紐結合具、および該紐結合具によって紐の両端部を結合してなる紐製リングに関する。
【背景技術】
【０００２】
ゴム芯入り組紐（以下、単に「ゴム紐」という。）の両端部を結合してなり、例えば髪を束ねるヘアバンドや手首に嵌めるアクセサリーや髪留めとして用いられるゴム紐製リングが、従来より知られている。
【０００３】
上記リングには、ゴム紐の両端部を接着剤により結合してなるものの他、ゴム紐の両端部を紐結合具によって結合してなるものがあり、後者に用いられる紐結合具として、例えば図６に記載のものが知られている（下記特許文献１参照）。
【０００４】
図６の紐結合具(90)（ゴム紐結束具）は、一対の結束片(91A)(91B)よりなるものである。各結束片(91A)(91B)には、これらの両端に形成された挿入凹溝(92)の一方から、ゴム紐(R)の各端部(R1)(R2)を挿入して、挟み込み突部(93)に挟み込むとともに、嵌め込み溝(94)に嵌め込んで、刺入ピン(95)を刺入して保持する。そして、両結束片(91A)(91B)をこれらの合着面に設けた係合孔（図示略）に係合爪(96)を係合させて合着させると、ゴム紐の両端部(R1)(R2)が互いに重ね合わせられた状態で結束される。
【０００５】
しかしながら、上記の紐結合具(90)の場合、別体に成形された２つの結束片(91A)(91B)によって構成されているため、その分だけ製造コストが嵩む。
また、上記の紐結合具(90)を用いてゴム紐の両端部(R1)(R2)を結合する際、２つの結束片(91A)(91B)どうしを合着させる作業がやり難く、作業効率が良くなかった。
さらに、上記の紐結合具(90)は、ゴム紐の両端部(R1)(R2)をこれらが重なり合った状態で結束するものであるので、それだけサイズを大きくする必要があるが、それによってゴム紐製リングのデザイン性が損われるおそれがあった。
【特許文献１】特開平１０−３０５８６５号公報
【発明の開示】
【０００６】
本発明の目的は、製造コストが嵩まず、紐の端部どうしの結合作業を容易に行うことができ、紐製リングのデザイン性を損なうおそれが少ない、紐結合具を提供することにある。
【０００７】
本発明による紐結合具は、折り曲げ可能な薄肉連結部を介して一側縁どうしが連結されている１対の半円筒部を備え、全体が合成樹脂により一体に成形されており、両半円筒部は、連結部を折り曲げて互いに重ね合わせることにより、結合すべき１本の紐の両端部または２本の紐の一端部を直列に収容しうる筒状体を形成するような大きさを有しており、両半円筒部のうち少なくともいずれか一方の内面には、結合すべき１本の紐の両端部または２本の紐の一端部を刺し止めうる複数の針状突起が形成され、両半円筒部の他側縁近傍には、両半円筒部を重ね合わせた際に互いに係り合わせられる係合部が形成されているものである。
【０００８】
上記の紐結合具は、開閉自在な１対の半円筒部を備えたものであって、全体が合成樹脂により一体に成形されているので、それだけ製造コストを抑えることができる。そして、紐の端部どうしを結合する際には、これらが直列に収容されるように２つの半円筒部を重ね合わせて、係合部どうしを係り合わせるだけでよいので、紐の結合作業を極めて簡単に行うことができる。また、紐の端部は、複数の針状突起によって刺し止められるので、容易に抜けることがなく、結合状態を維持することができる。しかも、例えば、紐が切れたり痛んだりした場合には、両半円筒部の係合部を外して他の紐に取り替えることもできるので、経済的である。さらに、上記の紐結合具の場合、２つの半円筒部が、結合すべき１本の紐の両端部または２本の紐の一端部を直列に収容しうる筒状体を形成するような大きさを有するものであるので、従来の紐結合具と比べて小さくスマートなものとなり、デザイン性に優れている。
【０００９】
本発明による紐結合具において、針状突起として、一方の半円筒部の内面の幅中央部分に長さ方向に間隔をおいて形成されかつ該半円筒部の開口レベル付近まで達するような突出長さを有する複数の第１の針状突起と、他方の半円筒部の内面の幅中央部分に複数の第１の針状突起と互い違いになるように長さ方向に間隔をおいて形成されかつ該半円筒部の開口レベルを越えるような突出長さを有する複数の第２の針状突起とを備えているのが好ましい。
より好ましくは、針状突起として、さらに、前記一方の半円筒部の内面における一側縁寄り部分および他側縁寄り部分のうち少なくともいずれか一方に複数の第２の針状突起と対応するように長さ方向に間隔をおいて形成されかつ第１の針状突起よりも短い突出長さを有する複数の第３の針状突起を備えるようにする。
さらに好ましくは、針状突起として、さらに、前記他方の半円筒部の内面における一側縁寄り部分および他側縁寄り部分のうち少なくともいずれか一方に複数の第１の針状突起と対応するように長さ方向に間隔をおいて形成されかつ第１の針状突起よりも短い突出長さを有する複数の第４の針状突起を備えるようにする。
【００１０】
針状突起として、上記のような第１針状突起と第２針状突起とを備えていれば、例えば、紐の端部どうしを結合する際、開口レベル付近まで達する第１の針状突起を有する一方の半円筒部の上に、紐の端部を配置しておいてから、両半円筒部どうしを重ね合わせることができるので、結合作業が楽である。しかも、第１の針状突起と互い違いに配置された第２の針状突起が、他方の半円筒部の開口レベルを越えるような突出長さを有するものとなされているので、これらの第２針状突起によって、紐の端部を確実に刺し止めることができる。
また、針状突起として、第１針状突起および第２針状突起に加えて、上記のような第３針状突起を備えていれば、結合すべき紐が例えば弾性の大きいゴム紐であっても、第２針状突起に押されて一方の半円筒部の幅中央部分から一側縁側または他側縁側に逃げたゴム紐部分を第３針状突起によって刺し止めることができので、紐の端部どうしの結合状態をより確実に維持しうる。
さらに、第４針状突起があれば、第２針状突起に押されて他方の半円筒部の幅中央部分から一側縁側または他側縁側に逃げたゴム紐部分を第４針状突起によって刺し止めることができるので、紐の端部どうしの結合状態を更に確実に維持しうる。
【００１１】
針状突起を上記のように構成する場合において、一方の半円筒部の他側縁近傍に形成された係合部が、先端に係合爪を有する係合凸部よりなり、他方の半円筒部の他側縁近傍に形成された係合部が、孔縁部に係合爪が係り止められる係合孔よりなり、一方の半円筒部の他側縁近傍に、結合すべき１本の紐の両端部または２本の紐の一端部を係合凸部と共同して保持しうる保持凸部が形成されているのが好ましい。
【００１２】
上記によれば、紐の端部どうしを結合するに際して第１の針状突起を有する一方の半円筒部の上に配置した紐の端部を、係合凸部と保持凸部とによって確実に保持することができるので、紐の結合作業がよりやり易くなる。
【００１３】
本発明には、１本の紐の両端部を、本発明による上記の紐結合具によって結合してなる紐製リングが含まれる。
【００１４】
上記の紐製リングによれば、前述の紐結合具によって１本の紐の両端部を結合するだけで簡単につくることができる上、紐の取り替えも容易に行うことができる。また、紐結合具が比較的小さくてスマートなものであるので、デザイン性に優れたものとなる。なお、リングを構成する紐としては、ゴム紐はもとより、各種の材料で形成されたその他の紐であっても勿論よい。
【発明を実施するための最良の形態】
【００１５】
図１および図２には、本発明による紐結合具が示されている。図示の紐結合具(1)は、折り曲げ可能な薄肉連結部(2C)を介して一側縁どうしが連結されている１対の半円筒部(2A)(2B)を備えており、全体が合成樹脂により一体に成形されている。上記の合成樹脂としては、例えばポリカーボネート樹脂（ＰＣ）等が挙げられる。
【００１６】
両半円筒部(2A)(2B)は、連結部(2C)を折り曲げて互いに重ね合わせることにより、結合すべき１本の紐(R)の両端部(R1)(R2)または２本の紐の一端部を直列に収容しうる筒状体(10)を形成するような大きさを有している（図３〜図５参照）。
【００１７】
両半円筒部(2A)(2B)は、これらの両端にそれぞれ半円形の端壁(5)を有している。各端壁(5)には、紐(R)の半径よりも若干大きい半径を有する半円形の切欠き(51)が形成されており、両半円筒部(2A)(2B)を重ね合わせた際に、他方の半円筒部の切欠き(51)と共同して、紐(R)の端部(R1)(R2)を通す円孔(50)を構成するようになっている（図４参照）。
【００１８】
両半円筒部(2A)(2B)の内面には、結合すべき１本の紐(R)の両端部(R1)(R2)または２本の紐の一端部を刺し止めうる複数の針状突起が形成されている。針状突起は、第１ないし第４の針状突起(31)(32)(33)(34)で構成されている。
【００１９】
第１針状突起(31)は、図１および図２の右側に位置する第１の半円筒部(2A)の内面の幅中央部分に長さ方向に間隔をおいて計４つ形成されており、第１半円筒部(2A)の開口レベル付近まで達するような突出長さを有している。
【００２０】
第２の針状突起(32)は、図１および図２の左側に位置する第２の半円筒部(2B)の内面の幅中央部分に第１針状突起(31)と互い違いになるように長さ方向に間隔をおいて計４つ形成されており、第２半円筒部(2B)の開口レベルを大きく越えるような突出長さ（例えば、図２に示すように、第１針状突起(31)の突出長さの約１．７倍程度の突出長さ）を有している。
【００２１】
第３の針状突起(33)は、第１半円筒部(2A)の内面の一側縁寄り部分に第２針状突起(32)と対応するように長さ方向に間隔をおいて４つ形成されており、第１針状突起(31)よりも短い突出長さ（例えば、図２に示すように、第１針状突起(31)の突出長さの約３分の１程度の突出長さ）を有している。
【００２２】
第４の針状突起(34)は、第２半円筒部(2B)の内面の一側縁寄り部分に第１針状突起(31)と対応するように長さ方向に間隔をおいて４つ形成されており、第１針状突起(31)よりも短い突出長さ（例えば、図２に示すように、第１針状突起(31)の突出長さの約３分の１程度の突出長さ）を有している。なお、図１および図２では、第４針状突起(34)は、第３針状突起(33)とほぼ同じ突出長さを有するものとなっているが、第３針状突起(33)よりもやや長くするようにしてもよい。
【００２３】
両半円筒部(2A)(2B)の他側縁近傍には、両半円筒部(2A)(2B)を重ね合わせた際に互いに係り合わせられる係合部(41)(42)が形成されている。
【００２４】
第１半円筒部(2A)の他側縁近傍に形成された係合部は、先端に係合爪(411)を有する係合凸部(41)よりなる。係合凸部(41)は、第１半円筒部(2A)内面の他側縁近傍における図１の上下各部分に１つずつ、計２つ形成されている。係合爪(411)は、図１および図２の右方に向かって突出するように、各係合凸部(41)の先端に形成されている。
【００２５】
第２半円筒部(2B)の他側縁近傍に形成された係合部は、孔縁部(421)に係合爪(411)が係り止められる係合孔(42)よりなる。係合孔(42)は、係合凸部(41)と対応するように、第２半円筒部(2B)の他側縁近傍における図１の上下各部分に１つずつ、計２つ形成されている。係合孔(42)は、図１に示すように平面より見て縦長方形のものであって、これらの外側の孔周縁部のうち第２半円筒部(2B)の他端縁側部分、即ち、図１および図２の左側部分に段差状の孔縁部(421)が形成されている。
【００２６】
第１半円筒部(2A)の他側縁近傍には、結合すべき１本の紐(R)の両端部(R1)(R2)または２本の紐の一端部を係合凸部(41)と共同して保持しうる保持凸部(6)が形成されている。保持凸部(6)は、第１針状突起(31)および第３針状突起(33)を挟んで係合凸部(41)と左右に向かい合うように、第１半円筒部(2A)内面の一側縁近傍における図１の上下各部分に１つずつ、計２つ形成されている。保持凸部(6)の長さは、第１針状凸部(31)よりも長く、かつ係合凸部(41)よりも短いものとなされている。
【００２７】
第１半円筒部(2A)の他側縁における図１の上側半部に、右方に短く突出した薄板状のフランジ部(71)が形成されている。また、第２半円筒部(2B)の他側縁における図１の下側半部に、左方に短く突出した薄板状のフランジ部(72)が形成されている。これらのフランジ部(71)(72)は、互いに係り合わせられた係合部(41)(42)どうしを外す際の摘みとして使用される。
【００２８】
図３〜図５は、図１および図２の紐結合具(1)を使用して作ったゴム紐製リングを示すものである。図示のゴム紐製リング(10)は、ゴム紐(R)の両端部(R1)(R2)を紐結合具(1)によって結合してなるものである。
【００２９】
図４および図５に示すように、ゴム紐(R)の両端部(R1)(R2)は、連結部(2C)を折り曲げて両半円筒部(2A)(2B)を互いに重ね合わせることにより形成された筒状体(10)、即ち、紐結合具(1)に直列に収容されている。なお、本発明にいう「直列」は、ゴム紐(R)の両端部(R1)(R2)が１直線に並ぶという厳密な意味での直列に限らず、ゴム紐(R)の両端部(R1)(R2)が重なり合わずにほぼ突き合わせ状に並んだ状態であればよく、図４および図５に示すように、針状突起(31)(32)(33)(34)によってゴム紐(R)の両端部(R1)(R2)が波形に折れ曲がった状態を含むものである。
【００３０】
紐結合具(1)は、第１半円筒部(2A)の係合凸部(41)が、第２半円筒部(2B)の係合孔(42)に嵌まり込んで、係合凸部(41)の先端の係合爪(411)が係合孔(42)の段差状孔縁部(421)に係り止められることにより、両半円筒部(2A)(2B)どうしが重なり合って筒状体(10)を形成する状態に維持されている。
【００３１】
紐結合具(1)の内部において、ゴム紐(R)の両端部(R1)(R2)は、複数の針状突起(31)(32)(33)(34)によって刺し止められ、紐結合具(1)から容易に外れないようになされている。変形しやすいゴム紐(R)は、比較的長い第１針状突起(31)や第２針状突起(32)で押されると、各半円筒部(2A)(2B)の幅中央部分から一側縁側または他側縁側に逃げようとするが、逃げた箇所には第３針状突起(33)や第４針状突起(34)が位置しているので、これら計４種類の針状突起(31)(32)(33)(34)によってゴム紐(R)の両端部(R1)(R2)が確実に刺し止められるようになっている。
【００３２】
紐結合具(1)によってゴム紐の両端部(R1)(R2)を結合する手順としては、まず図２に示すように、紐結合具(1)をこれらの両半円筒部(2A)(2B)の内面が上を向くようにしておいてから、ゴム紐の両端部(R1)(R2)を、第１半円筒部(2A)の幅中央部分の上方位置に、複数の第１針状突起(31)の先端に刺さるように、直列に配置する。この際、ゴム紐の両端部(R1)(R2)は、第１半円筒部(2A)の係合凸部(41)と保持凸部(6)とで挟まれているため、上記位置に確実に保持される。
【００３３】
そして、この状態で、第２半円筒部(2B)を第１半円筒部側(2A)に向かって斜め上方に押し上げると、薄肉連結部(2C)が折れ曲がって、第２半円筒部(2B)が第１半円筒部(2A)の上に覆い被さり、両半円筒部(2A)(2B)が重ね合わせられる。それに伴って、ゴム紐の両端部(R1)(R2)に針状突起(31)(32)(33)(34)が刺し入れられる。また、係合凸部(41)が、これらの先端の係合爪(411)が係合孔(42)の内面に圧接させられることによって弾性変形しながら、係合孔(42)を通過し、係合爪(411)が係合孔(42)を抜けたところで係合凸部(41)が復元し、それによって係合爪(411)が係合孔(42)の段差状孔縁部(421)に係り止められる。
【００３４】
こうして、ゴム紐の両端部(R1)(R2)が紐結合具(1)によって結合され、ゴム紐製リング(10)が得られる。このリング(10)は、図３に示すように、紐結合具(1)が従来の紐結合具（図６参照）と比べて小さくスマートなものであるため、デザイン性に優れたものとなっている。
【００３５】
なお、上記の実施形態はあくまでも例示にすぎず、特許請求の範囲に記載された本発明の要旨を逸脱しない範囲において適宜に変更を加えた上で本発明を実施することも勿論可能である。
【図面の簡単な説明】
【００３６】
【図１】本発明の実施形態を示すものであって、紐結合具の平面図である。
【図２】図１のII−II線に沿う横断面図である。
【図３】図１の紐結合具を使用したゴム紐製リングを示す正面図である。
【図４】図３のIV−IV線に沿う部分拡大横断面図である。
【図５】図３のV−V線に沿う部分拡大縦断面図である。
【図６】従来の紐結合具の使用例を示すものであって、（ａ）は結束片どうしを合着する前の状態の縦断面図、（ｂ）は結束片どうしを合着して紐の両端部を結合した状態の縦断面図である。
【符号の説明】
【００３７】
(R)：ゴム紐
(R1)(R2)：（ゴム紐の）端部
(1)：紐結合具
(2A)：第１半円筒部
(2B)：第２半円筒部
(2C)：薄肉連結部
(31)：第１針状突起
(32)：第２針状突起
(33)：第３針状突起
(34)：第４針状突起
(41)：係合凸部（係合部）
(411)：係合爪
(42)：係合孔
(421)：段差状孔縁部
(6)：保持凸部
(10)：ゴム紐製リング
【図１】
2005178821.tif 000003
【図２】
2005178821.tif 000004
【図３】
2005178821.tif 000005
【図４】
2005178821.tif 000006
【図５】
2005178821.tif 000007
【図６】
2005178821.tif 000008